(57)【特許請求の範囲】
【請求項１】
優先度の異なる複数のデータ系列のうち、最も優先度が高いデータ系列がコピーされて送信アンテナの各々に割り当てられるとともに、前記最も優先度が高いデータ系列以外の低優先度データ系列が分割されて前記送信アンテナの各々に割り当てられ、同じ送信アンテナに割り当てられた高優先度データ系列および分割後低優先度データ系列ごとに階層変調が行われ、前記階層変調後の送信系列に対して空間周波数ブロック符号化が行われた信号を複数の受信アンテナで受信する受信装置であって、
最も優先度が高いデータ系列以外の低優先度データ系列に適用されている変調方式および無線送信装置との間の伝送路推定値に基づいて、最も優先度が高いデータ系列に対する干渉成分を受信信号から除去する干渉除去手段と、
前記干渉成分が除去された後の受信信号に基づいて、最も優先度が高いデータ系列を復元する高優先度データ復元手段と、
を備えることを特徴とする無線受信装置。
【請求項２】
優先度の異なる複数のデータ系列のうち、最も優先度が高いデータ系列がコピーされて送信アンテナの各々に割り当てられるとともに、各送信アンテナに割り当てられたデータ系列に対して個別にマッピング処理および空間周波数ブロック符号化処理が行われて生成された第１の送信系列と、前記最も優先度が高いデータ系列以外の低優先度データ系列が分割されて前記送信アンテナの各々に割り当てられるとともに、各送信アンテナに割り当てられたデータ系列に対して個別にマッピング処理が行われて生成された第２の送信系列と、が合成された信号を複数の受信アンテナで受信する受信装置であって、
最も優先度が高いデータ系列以外の低優先度データ系列に適用されている変調方式および無線送信装置との間の伝送路推定値に基づいて、最も優先度が高いデータ系列に対する干渉成分を受信信号から除去する干渉除去手段と、
前記干渉成分が除去された後の受信信号に基づいて、最も優先度が高いデータ系列を復元する高優先度データ復元手段と、
を備えることを特徴とする無線受信装置。
【請求項３】
前記干渉除去手段は、
前記低優先度データ系列に適用されている変調方式で取り得る信号点それぞれのビットパターンを生成するビットパターン生成手段と、
前記ビットパターンおよび前記伝送路推定値に基づいて、前記信号点それぞれに対応する干渉成分を生成する干渉成分生成手段と、
受信信号から前記干渉成分の１つを減算して前記高優先度データ復元手段へ出力する、前記信号点の数と同数の干渉成分除去手段と、
を備え、
前記高優先度データ復元手段は、各干渉成分除去手段から入力された信号のうち、理想信号点に最も近い信号に対して、最も優先度が高いデータ系列を復元する処理を実行することを特徴とする請求項１または２に記載の無線受信装置。
【請求項４】
前記干渉除去手段は、
前記低優先度データ系列に適用されている変調方式で取り得る信号点の中の一部の信号点それぞれに対応するビットパターンを生成するビットパターン生成手段と、
前記ビットパターン生成手段で生成されたビットパターンおよび前記伝送路推定値に基づいて、前記一部の信号点それぞれに対応する干渉成分を生成する干渉成分生成手段と、
外部から入力された信号から前記干渉成分の１つを減算して出力する、前記一部の信号点の数と同数の干渉成分除去手段と、
前記干渉成分除去手段の各々から出力された信号のうち、理想信号点に最も近い信号を選択して出力する信号選択手段と、
を備え、
受信信号から干渉成分を除去する処理を複数回に分けて実行することを特徴とする請求項１または２に記載の無線受信装置。
【請求項５】
前記干渉成分生成手段で生成された干渉成分に基づいて前記低優先度データ系列を復元することを特徴とする請求項３または４に記載の無線受信装置。
【請求項６】
前記干渉成分生成手段で生成された干渉成分に基づいて、前記低優先度データ系列のビットごとの尤度情報を生成する第１の尤度情報生成手段と、
受信信号に対して前記伝送路推定値に基づくＭＩＭＯ等化およびデマッピングを実施して前記低優先度データ系列のビットごとの尤度情報を生成する第２の尤度情報生成手段と、
前記第１の尤度情報生成手段で生成された尤度情報と前記第２の尤度情報生成手段で生成された尤度情報を合成する合成手段と、
前記合成手段で合成された後の尤度情報に基づいて前記低優先度データ系列を復元する低優先度データ復元手段と、
をさらに備えることを特徴とする請求項３または４に記載の無線受信装置。
【請求項７】
請求項１〜６のいずれか一つに記載の無線受信装置、
を備えることを特徴とする無線通信装置。
【請求項８】
複数の送信アンテナを備え、優先度の異なる複数のデータ系列を多重送信する無線送信装置であって、最も優先度が高いデータ系列をコピーして前記複数の送信アンテナと同数の高優先度データ系列を生成するとともに、前記複数の送信アンテナに割り当て、前記最も優先度が高いデータ系列以外の低優先度データ系列を分割して前記複数の送信アンテナと同数の分割後低優先度データ系列を生成するとともに、前記複数の送信アンテナに割り当て、同じ送信アンテナに割り当てられた高優先度データ系列および分割後低優先度データ系列の組の各々に対して階層変調を行い、前記複数の送信アンテナと同数の送信系列を生成する無線送信装置、から送信された無線信号を受信する無線受信装置において、
最も優先度が高いデータ系列以外の低優先度データ系列に適用されている変調方式および前記無線送信装置との間の伝送路推定値に基づいて、最も優先度が高いデータ系列に対する干渉成分を受信信号から除去する干渉除去手段と、
前記干渉成分が除去された後の受信信号に基づいて、最も優先度が高いデータ系列を復元する高優先度データ復元手段と、
を備えることを特徴とする無線受信装置。
【請求項９】
複数の送信アンテナを備え、優先度の異なる複数のデータ系列を多重送信する無線送信装置であって、最も優先度が高いデータ系列をコピーして前記複数の送信アンテナと同数の高優先度データ系列を生成し、当該高優先度データ系列の各々に対して個別にマッピング処理を行って第１の送信系列を生成し、前記最も優先度が高いデータ系列以外の低優先度データ系列を分割して前記複数の送信アンテナと同数の分割後低優先度データ系列を生成し、当該分割後低優先度データ系列の各々に対して個別にマッピング処理を行って第２の送信系列を生成し、前記第１の送信系列と前記第２の送信系列を合成して前記複数の送信アンテナと同数の送信系列を生成する無線送信装置、から送信された無線信号を受信する無線受信装置において、
最も優先度が高いデータ系列以外の低優先度データ系列に適用されている変調方式および前記無線送信装置との間の伝送路推定値に基づいて、最も優先度が高いデータ系列に対する干渉成分を受信信号から除去する干渉除去手段と、
前記干渉成分が除去された後の受信信号に基づいて、最も優先度が高いデータ系列を復元する高優先度データ復元手段と、
を備えることを特徴とする無線受信装置。
【請求項１０】
複数の送信アンテナを備え、優先度の異なる複数のデータ系列を多重送信する無線送信装置であって、最も優先度が高いデータ系列をコピーして前記複数の送信アンテナと同数の高優先度データ系列を生成するとともに、前記複数の送信アンテナに割り当て、前記最も優先度が高いデータ系列以外の低優先度データ系列を分割して前記複数の送信アンテナと同数の分割後低優先度データ系列を生成するとともに、前記複数の送信アンテナに割り当て、同じ送信アンテナに割り当てられた高優先度データ系列および分割後低優先度データ系列の組の各々に対して階層変調を行い、前記複数の送信アンテナと同数の送信系列を生成する無線送信装置、から送信された無線信号を受信する無線受信方法において、
最も優先度が高いデータ系列以外の低優先度データ系列に適用されている変調方式および前記無線送信装置との間の伝送路推定値に基づいて、最も優先度が高いデータ系列に対する干渉成分を受信信号から除去する干渉除去ステップと、
前記干渉成分が除去された後の受信信号に基づいて、最も優先度が高いデータ系列を復元する高優先度データ復元ステップと、
を備えることを特徴とする無線受信方法。
【請求項１１】
複数の送信アンテナを備え、優先度の異なる複数のデータ系列を多重送信する無線送信装置であって、最も優先度が高いデータ系列をコピーして前記複数の送信アンテナと同数の高優先度データ系列を生成し、当該高優先度データ系列の各々に対して個別にマッピング処理を行って第１の送信系列を生成し、前記最も優先度が高いデータ系列以外の低優先度データ系列を分割して前記複数の送信アンテナと同数の分割後低優先度データ系列を生成し、当該分割後低優先度データ系列の各々に対して個別にマッピング処理を行って第２の送信系列を生成し、前記第１の送信系列と前記第２の送信系列を合成して前記複数の送信アンテナと同数の送信系列を生成する無線送信装置、から送信された無線信号を受信する無線受信方法において、
最も優先度が高いデータ系列以外の低優先度データ系列に適用されている変調方式および前記無線送信装置との間の伝送路推定値に基づいて、最も優先度が高いデータ系列に対する干渉成分を受信信号から除去する干渉除去ステップと、
前記干渉成分が除去された後の受信信号に基づいて、最も優先度が高いデータ系列を復元する高優先度データ復元ステップと、
を備えることを特徴とする無線受信方法。
【発明の詳細な説明】
【技術分野】
【０００１】
本発明は、ＭＩＭＯ（Multiple-Input  Multiple-Output）システムに関するものであり、特に、個別に優先度（もしくは重要度）が設定された複数のデータストリームを多重伝送する無線送信装置、無線受信装置、無線通信装置、信号送信方法および無線受信方法に関する。
【背景技術】
【０００２】
個別に優先度が設定された複数のデータストリームを多重伝送する従来のシステムとして、特許文献１に記載の無線通信システムが存在する。
【０００３】
特許文献１に記載の無線通信システムは、空間・時間符号化とＭＩＭＯシステムを組み合わせたものであり、このシステムにおける送信側の処理および受信側の処理を簡単に説明すると、以下の通りである。
【０００４】
送信側においては、全てのユーザが受信可能なレートで送信する基本ストリーム（以下、高優先度データと呼ぶ）、およびチャネル状態のよい一部のユーザが受信可能なレートで送信する拡張ストリーム（以下、低優先度データと呼ぶ）のそれぞれに対して、誤り訂正符号化処理、インターリーバ処理、マッピング処理を実施することで、シンボルデータを生成する。そして、高優先度データに対応するシンボルデータおよび低優先度データに対応するシンボルデータそれぞれに対して、空間・時間符号化処理を行う。ここでの空間・時間符号化処理とは、空間時間ブロック符号化（ＳＴＢＣ：Space  Time  Block  Codes）、もしくは空間多重化処理を意味する。さらに、空間・時間符号化処理を行った後の高優先度データおよび低優先度データのシンボルデータに対して結合処理を実施し、各送信アンテナに対する送信データを生成する。ここでの結合処理は、時分割多重（ＴＤＭ：Time  Division  Multiplexing）、もしくは、重ね合わせ処理を意味しており、高優先度データと低優先度データを送信アンテナ単位で結合するための処理である。この結合処理におけるＴＤＭは高優先度データと低優先データをそれぞれ異なるタイムスロットに割り当てるものであり、重ね合わせ処理は、高優先度データと低優先度データそれぞれに対して、重み付け係数を乗算した後、多重化するものである。
【０００５】
一方、受信側においては、複数の受信アンテナにて受信した受信データをもとに、送信側で使用した結合処理に応じて高優先度データのシンボルデータと低優先度データのシンボルデータを復元する。そして、復元した高優先度データのシンボルデータと低優先度データのシンボルデータそれぞれに対して、送信側で使用した空間・時間符号化処理に応じた空間・時間復号化処理を行い、さらに、デマッピング処理、デインターリーバ処理、誤り訂正復号化処理を実施して高優先度データと低優先度データを復調する。
【０００６】
このように、特許文献１に記載の無線通信システムでは、高優先度データと低優先度データに対して、それぞれ独立に空間・時間符号化処理を適用することにより、高優先度データと低優先度データでそれぞれ異なる誤り率性能、スループット性能が得られるという意味で、不均一データの送受信を実現している。つまり、送信側で用いる空間・時間符号化処理において、空間時間ブロック符号化処理を選択するか、空間多重処理を選択するかで誤り率性能、スループット性能が変化することを利用している。
【先行技術文献】
【特許文献】
【０００７】
【特許文献１】特許第４５０９１１６号公報
【発明の概要】
【発明が解決しようとする課題】
【０００８】
上記従来の無線通信システムでは、ＭＩＭＯシステムを前提に、高優先度データと低優先度データに対してそれぞれ独立に空間・時間符号化処理を適用することで、不均一データ送受信を実現している。また、従来の無線通信システムでは、空間・時間符号化処理を、空間時間ブロック符号化もしくは空間多重と限定している。一般に、空間時間ブロック符号化は、時間的に連続する２つのシンボルに直交性を持たせるように符号化処理をするため、高速移動環境のような時間選択性が強いフェージング環境においては上記の直交性が崩れ、復調性能の劣化が発生する。また、従来の無線通信システムにおいて、高優先度データに空間時間ブロック符号化、低優先度データに空間多重を適用した場合について考えると、受信側で高優先度データを復調する際、受信データに含まれる低優先度データは干渉成分となり、高優先度データの復調性能の劣化要因となる。そのため、高優先度データを復調する際に、低優先度データによる干渉成分を除去することが望まれる。
【０００９】
本発明は、上記に鑑みてなされたものであって、ＭＩＭＯシステムにおいて、優先度の異なる複数のデータが多重された信号の復調性能を向上させることが可能な無線送信装置、無線受信装置、無線通信装置、信号送信方法および無線受信方法を得ることを目的とする。
【００１０】
また、時間選択性が強いフェージング環境における復調性能を向上させることが可能な無線送信装置、無線受信装置、無線通信装置、信号送信方法および無線受信方法を得ることを目的とする。
【課題を解決するための手段】
【００１１】
上述した課題を解決し、目的を達成するために、本発明は、複数の送信アンテナを備え、優先度の異なる複数のデータ系列を多重送信する無線送信装置であって、最も優先度が高いデータ系列をコピーして前記複数の送信アンテナと同数の高優先度データ系列を生成するとともに、前記複数の送信アンテナに割り当てるコピー手段と、前記最も優先度が高いデータ系列以外の低優先度データ系列を分割して前記複数の送信アンテナと同数の分割後低優先度データ系列を生成するとともに、前記複数の送信アンテナに割り当てる分割手段と、同じ送信アンテナに割り当てられた高優先度データ系列および分割後低優先度データ系列の組の各々に対して階層変調を行い、前記複数の送信アンテナと同数の送信系列を生成する送信系列生成手段と、前記送信系列の各々に対して空間周波数ブロック符号化を行う空間周波数ブロック符号化手段と、を備えることを特徴とする。
【発明の効果】
【００１２】
本発明によれば、受信側での高優先度データの復調性能を向上させることが可能な無線送信装置を実現でき、高性能な無線通信システムを実現できるという効果を奏する。
【００１３】
また、時間選択性が強いフェージング環境における復調性能を向上させることができるという効果を奏する。
【図面の簡単な説明】
【００１４】
【図１】図１は、実施の形態１の無線送信装置の構成例を示す図である。
【図２】図２は、実施の形態１の無線受信装置の構成例を示す図である。
【図３】図３は、階層変調のマッピング例を示す図である。
【図４】図４は、実施の形態２の無線送信装置の構成例を示す図である。
【図５】図５は、実施の形態３の無線受信装置の構成例を示す図である。
【図６】図６は、干渉除去部の構成例を示す図である。
【図７】図７は、実施の形態４の無線受信装置の構成例を示す図である。
【図８】図８は、空間周波数ブロック復号化部の構成例を示す図である。
【図９】図９は、空間周波数ブロック復号化部の構成例を示す図である。
【図１０】図１０は、実施の形態５の無線受信装置の構成例を示す図である。
【図１１】図１１は、実施の形態６の無線受信装置の構成例を示す図である。
【発明を実施するための形態】
【００１５】
以下に、本発明にかかる無線送信装置、無線送受信装置、無線送信方法および無線送受信方法の実施の形態を図面に基づいて詳細に説明する。なお、この実施の形態によりこの発明が限定されるものではない。
【００１６】
実施の形態１．
図１は、本発明にかかる無線通信装置が備えている無線送信装置（以下、送信装置とする）の実施の形態１の構成例を示す図であり、図２は、本発明にかかる無線通信装置が備えている無線受信装置（以下、受信装置とする）の実施の形態１の構成例を示す図である。なお、無線通信装置は、通常、図１に示した送信装置および図２に示した受信装置を備えた構成となっている。
【００１７】
本実施の形態においては、図１に示した送信装置を備えた無線通信装置から図２に示した受信装置を備えている無線通信装置に対して複数種類のデータ（優先度が個別に設定された複数のデータストリーム）を伝送する場合の例を説明する。具体的には、優先度の高い順にストリーム＃１〜＃Ｎの合計Ｎ個のデータストリームが存在し、図１，図２に示したような、送信アンテナ数がＮt，送信アンテナ数がＮrのＭＩＭＯ構成となる場合の例を説明する。
【００１８】
図１に示した送信装置は、誤り訂正符号化部１０1〜１０N、インターリーバ１１1〜１１N、コピー部１２、分割部１３1〜１３N-1、シンボルマッピング部１４1〜１４Nt、空間周波数ブロック符号化部１５、周波数時間変換部１６および複数（Ｎt本）の送信アンテナ１７を備えている。
【００１９】
誤り訂正符号化部１０1，…，１０Nは、それぞれ、ストリーム＃１，…，＃Ｎに対する誤り訂正符号化処理を行う。インターリーバ１１1，…，１１Nは、それぞれ、ストリーム＃１，…，＃Ｎに対応する誤り訂正符号化系列（誤り訂正符号化部１０1，…，１０Nから出力された系列）をインターリーブする。コピー部１２は、各送信アンテナ１７から同一のデータを送信するために、ストリーム＃１に対するインターリーブ処理後のデータ系列を送信アンテナ数分コピーし、各データ系列をシンボルマッピング部１４1，…，１４Ntへ出力する。分割部１３1，…，１３N-1は、それぞれ、ストリーム＃２，…，＃Ｎのインターリーブ処理後のデータ系列を送信アンテナ分割り振るために分割し、各データ系列をシンボルマッピング部１４1，…，１４Ntへ出力する。シンボルマッピング部１４1，…，１４Ntは、コピー部１２および分割部１３1，…，１３N-1からそれぞれ入力されたストリーム＃１，…，＃Ｎのデータ系列を、各ストリームの優先度に合わせて、階層変調によるマッピング処理を行う。空間周波数ブロック符号化部１５は、階層変調後のマッピング系列に対して空間周波数ブロック符号化処理を行う。周波数時間変換部１６は、空間周波数ブロック符号化処理後のデータ系列が周波数領域のデータであるため、周波数領域から時間領域に変換する。
【００２０】
図２に示した受信装置は、誤り訂正復号化部２０1〜２０N、デインターリーバ２１1〜２１N、デマッピング部２２1〜２２N、空間周波数ブロック復号化部２３、ＭＩＭＯ等化部２４、伝送路推定部２５、時間周波数変換部２６および複数（Ｎr本）の受信アンテナ２７を備えている。
【００２１】
時間周波数変換部２６は、時間領域の受信データ系列を周波数領域に変換する。伝送路推定部２５は、周波数領域の受信データ系列（時間周波数変換部２６から出力された系列）から伝搬路を推定する。空間周波数ブロック復号化部２３1は、周波数領域の受信データ系列および伝送路推定値（伝送路推定部２５における伝送路推定結果）を用いて空間周波数ブロック復号化処理を行い、ストリーム＃１のシンボルデータを復調する。ＭＩＭＯ等化部２４は、周波数領域の受信データ系列および伝送路推定値を用いた等化処理により、空間多重されたストリーム＃２〜＃Ｎのシンボルデータを復調する。デマッピング部２２1，…，２２Nは、それぞれ、ストリーム＃１，…，＃Ｎの復調されたシンボルデータに対してデマッピング処理を行い、ビット当たりの尤度情報を生成する。デインターリーバ２１1，…，２１Nは、それぞれ、ストリーム＃１，…，＃Ｎのビット当たりの尤度情報（デマッピング部２２1，…，２２Nからの出力）をデインターリーブする。誤り訂正復号化部２０1〜２０Nは、それぞれ、ストリーム＃１，…，＃Ｎに対応する、デインターリーブ後の尤度情報を用いて、誤り訂正復号処理を行う。
【００２２】
以下、図１および図２に示した送信装置および受信装置において特徴的な処理を行う特有の構成要素に関して、具体的な構成および動作を詳しく説明する。なお、本実施の形態、および後述する各実施の形態では、説明を容易にするために、データストリーム数Ｎ＝２，送信アンテナ数Ｎt＝２，受信アンテナ数Ｎr＝２として説明を行う。ただし、本発明はこのデータストリーム数とアンテナ数の組み合わせに限定されるものではない。なお、２本の送信アンテナを区別する場合、いずれか一方を送信アンテナ＃１、他方を送信アンテナ＃２として説明を行う。受信アンテナも同様に、受信アンテナ＃１、受信アンテナ＃２として区別する。
【００２３】
＜コピー部１２＞
コピー部１２は、優先度が最も高いストリーム＃１のインターリーブ処理後のデータ系列｛ｘH｝に対して、送信アンテナ数分、つまりＮt＝２個分のコピーを生成する。ここでは、コピーしたストリーム＃１の情報ビット系列を｛ｘ１H｝，｛ｘ２H｝とする。データ系列｛ｘH｝＝ｑ1,ｑ2,ｑ3,…,ｑKとしたとき、｛ｘ１H｝，｛ｘ２H｝は以下の式（１）で表される。なお、式（１）において、Ｋはストリーム＃１のデータ系列長である。
【００２４】
【数１】
0005851280.tif 000002
【００２５】
＜分割部１３1＞
分割部１３1は、ストリーム＃２のインターリーブ処理後のデータ系列｛ｘL｝を、送信アンテナの数に応じて分割する。ここでは、Ｎt＝２の場合を想定しているため、データ系列｛ｘL｝を２つに分割する。インターリーブ処理後のデータ系列を｛ｘL｝＝ａ1,ａ2,ａ3,…,ａJとした場合、分割処理後のデータ系列｛ｘ１L｝，｛ｘ２L｝は以下の式（２）により表される。なお、式（２）において、Ｊはストリーム＃２のデータ系列長である。また、式（２）で表した分割処理は一例であり、この分割処理に限定されるものではない。
【００２６】
【数２】
0005851280.tif 000003
【００２７】
＜シンボルマッピング部１４1，１４2＞
シンボルマッピング部１４1は、ストリーム＃１のデータ系列｛ｘ１H｝とストリーム＃２のデータ系列｛ｘ１L｝を、一方、シンボルマッピング部１４2は、ストリーム＃１のデータ系列｛ｘ２H｝とストリーム＃２のデータ系列｛ｘ２L｝を用いて、階層変調によるシンボルマッピング処理をそれぞれ実施する。これらのシンボルマッピング部１４1および１４2は、例えば、優先度の高いストリーム＃１のデータ系列に対してはＱＰＳＫ、優先度の低いストリーム＃２のデータ系列に対しては１６ＱＡＭを適用し、ＱＰＳＫ＋１６ＱＡＭ（＝６４ＱＡＭ）の階層変調となるシンボルマッピングを実施する。図３にＱＰＳＫ＋１６ＱＡＭ（＝６４ＱＡＭ）の階層変調の一例を示す。ＱＰＳＫ＋１６ＱＡＭ（＝６４ＱＡＭ）の階層変調のマッピングは、ＱＰＳＫの２ｂｉｔ分のデータと１６ＱＡＭの４ｂｉｔ分のデータを合わせた６ｂｉｔのデータにより、シンボルデータを生成する。図３では、まずＱＰＳＫの２ｂｉｔ分のデータから、黒丸の信号点を決定する。ＱＰＳＫの２ｂｉｔには優先度の高いストリーム＃１のデータを割り当てる。次に、１６ＱＡＭの４ｂｉｔ分のデータを使用して、黒丸の信号点を中心に形成される１６ＱＡＭの白丸の信号点１点を決定する。１６ＱＡＭの４ｂｉｔには優先度の低いストリーム＃２のデータを割り当てる。これにより決定される白丸の信号点は最終的には６４ＱＡＭの信号点配置となり、上位２ｂｉｔがストリーム＃１のデータ、下位４ｂｉｔがストリーム＃２のデータとなる。
【００２８】
図３に示した階層変調を適用する場合、シンボルマッピング部１４1にて生成されるシンボルデータを｛ｙ１｝＝ｂ1,1,ｂ1,2,ｂ1,3,…,ｂ1,Kとし、シンボルマッピング部１４2にて生成されるシンボルデータを｛ｙ２｝＝ｂ2,1,ｂ2,2,ｂ2,3,…,ｂ2,Kとすると、これらは以下の式（３）により算出される。式（３）において、ｎは１≦ｎ≦Ｋの範囲の整数、Ｋはシンボルデータ長である。また、ｍａｐ＿６４ＱＡＭ（）は、図３の６４ＱＡＭの信号点にマッピングする関数である。
【００２９】
【数３】
0005851280.tif 000004
【００３０】
＜空間周波数ブロック符号化部１５＞
空間周波数ブロック符号化部１５は、シンボルマッピンング部１４1，１４2にて生成されたシンボルデータ｛ｙ１｝，｛ｙ２｝に対して、空間周波数ブロック符号化処理を行う。以下、空間周波数ブロック符号化の具体的な処理について説明する。
【００３１】
シンボルデータを｛ｙ１｝＝ｂ1,1,ｂ1,2,ｂ1,3,…,ｂ1,K，｛ｙ２｝＝ｂ2,1,ｂ2,2,ｂ2,3,…,ｂ2,Kとすると、空間周波数ブロック符号化処理後のシンボルデータ｛ｚ１｝＝ｃ1,1,ｃ1,2,ｃ1,3,…,ｃ1,K，｛ｚ２｝＝ｃ2,1,ｃ2,2,ｃ2,3,…,ｃ2,Kは以下の式（４）により算出される。式（４）において、ｎは１≦ｎ≦Ｋ/２の範囲の整数、Ｋはシンボルデータ長である。＊は複素共役を示す。空間周波数ブロック符号化処理後のシンボルデータ｛ｚ１｝は２本の送信アンテナ１７のうちの一方（送信アンテナ＃１とする）から送信する送信データ、｛ｚ２｝はもう一方の送信アンテナ＃２から送信する送信データとなる。
【００３２】
【数４】
0005851280.tif 000005
【００３３】
＜空間周波数ブロック復号化部２３＞
空間周波数ブロック復号化部２３は、時間周波数変換部２６で周波数領域に変換された受信アンテナ＃１の受信データ系列｛ｆ１｝および受信アンテナ＃２の受信データ系列｛ｆ２｝と、伝送路推定部２５における伝送路推定結果である伝送路推定値｛ｇ１１｝，｛ｇ１２｝，｛ｇ２１｝，｛ｇ２２｝とを用いて空間周波数ブロック復号を行う。受信アンテナ＃１の受信データ系列を｛ｆ１｝＝ｒ1,1,ｒ1,2,ｒ1,3,…,ｒ1,Kとし、受信アンテナ＃２の受信データ系列を｛ｆ２｝＝ｒ2,1,ｒ2,2,ｒ2,3,…,ｒ2,Kとし、また、伝送路推定値を｛ｇ１１｝＝ｈ11,1,ｈ11,2,ｈ11,3,…,ｈ11,K/2，｛ｇ１２｝＝ｈ12,1,ｈ12,2,ｈ12,3,…,ｈ12,K/2，｛ｇ２１｝＝ｈ21,1,ｈ21,2,ｈ21,3,…,ｈ21,K/2，｛ｇ２２｝＝ｈ22,1,ｈ22,2,ｈ22,3,…,ｈ22,K/2とした場合、空間周波数ブロック復号化処理後の復調データ系列｛ｔH｝＝ｓ1,ｓ2,ｓ3,…,ｓKは以下の式（５）により求められる。式（５）において、ｎは１≦ｎ≦Ｋ/２の範囲の整数、Ｋはシンボルデータ長である。＊は複素共役を示す。
【００３４】
【数５】
0005851280.tif 000006
【００３５】
＜ＭＩＭＯ等化部２４＞
ＭＩＭＯ等化部２４は、受信データ系列｛ｆ１｝，｛ｆ２｝に対して、ＭＩＭＯ等化技術（ゼロフォーシング(Zero  Forcing)方式、最小平均２乗誤差(Minimum  Mean  Square  Error)方式、等）を用いることにより、空間周波数ブロック復号化部２３とは別に、Ｎt＝２本の送信アンテナから送信された送信シンボルを復元する。ここで、ＭＩＭＯ等化処理により復元された系列として、送信アンテナ＃１に対応する系列を｛ｕ１｝＝ｐ1,1,ｐ1,2,ｐ1,3,…,ｐ1,Kとし、一方、送信アンテナ＃２に対応する系列を｛ｕ２｝＝ｐ2,1,ｐ2,2,ｐ2,3,…,ｐ2,Kとする。
【００３６】
＜デマッピング部２２1＞
デマッピング部２２1は、空間周波数ブロック復号化処理後の復調データ系列｛ｔH｝に対してデマッピング処理を行い、ストリーム＃１の各ビットの尤度情報を生成する。
【００３７】
＜デマッピング部２２2＞
デマッピング部２２2は、ＭＩＭＯ等化処理後の復元データ系列｛ｕ１｝，｛ｕ２｝に対してデマッピング処理を行い、ストリーム＃２の各ビットの尤度情報を生成する。
【００３８】
このように、本実施の形態において、受信装置とともに無線通信システムを構成している送信装置は、まず、優先度の高いストリーム＃１のデータ系列をコピーして送信アンテナ数と同数のデータ系列（高優先度データ系列）を生成するとともに、優先度の低いストリーム＃２のデータ系列を分割して送信アンテナ数と同数のデータ系列（低優先度データ系列）を生成し、次に、高優先度データ系列と低優先度データ系列を組み合わせて諧調変調を行い、その結果として得られたシンボルデータを空間周波数ブロック符号化して各送信アンテナから送信することとした。これにより、優先度の高いストリーム＃１のデータ系列に対してのみ、空間周波数ブロック符号を適用することができ、高速移動環境のような時間選択性の強いフェージング環境でも空間周波数ブロック符号の直交性が崩れることがないので、受信装置はストリーム＃１を高精度に復調できる。
【００３９】
また、階層変調したシンボルデータに対して空間周波数ブロック符号化を適用する構成としたので、これまで階層変調のみ実装していた無線通信システムに対して後段に空間周波数ブロック符号化処理を適用することで、容易に優先度の高いストリーム＃１に対して空間周波数ブロック符号を適用できる。受信装置側においても、ストリーム＃１とストリーム＃２の復調処理が個別に存在するため、空間周波数ブロック復号処理を追加することで対応可能となる。
【００４０】
実施の形態２．
実施の形態１では、階層変調後のシンボルデータに対して空間周波数ブロック符号化処理を実施することで、優先度の高いストリーム＃１に対してのみ空間周波数ブロック符号を適用する構成とした。これは、これまで階層変調のみを実装していたシステムに対して階層変調によるシンボルマッピングの後段に空間周波数ブロック符号を適用することで、容易にストリーム＃１に対して空間周波数ブロック符号化を適用可能にしたものである。
【００４１】
これに対して、本実施の形態では、階層変調前に各ストリーム個別にシンボルデータを生成し、空間周波数ブロック符号を適用したいストリームに対して個別に空間周波数ブロック符号化処理を実施し、最後に各ストリームのシンボルデータを合成することで階層変調を行う。この構成を適用することにより、これまで階層変調を実装していなかったシステムに対して、各ストリームのシンボルデータを生成すまでの回路を利用し、以降に空間周波数ブロック符号化を適用し、さらにシンボルデータの合成による階層変調を行うことで、特定のデータストリームに対して空間周波数ブロック符号を適用する。本実施の形態によれば、実施の形態１と比較して追加する回路規模を抑えることができる。
【００４２】
図４は、実施の形態２の送信装置の構成例を示す図である。図４においては、実施の形態１の送信装置と同じ構成要素に同一の符号を付している（図１参照）。図４に示したように、本実施の形態の送信装置は、実施の形態１の送信装置が備えていたシンボルマッピング部１４1〜１４Ntをストリーム数Ｎと同数のシンボルマッピング部１４ａ1〜１４ａNに置き換え、さらに、シンボルマッピング部１４ａ2〜１４ａNの後段に重み付け部１８1〜１８N-1を、空間周波数ブロック符号化部１５および重み付け部１８1〜１８N-1の後段には送信アンテナ数Ｎtと同数の合成部１９1〜１９Ntをそれぞれ追加した構成となっている。シンボルマッピング部１４ａ1〜１４ａNでは、入力されたデータ系列に対し、変調方式に応じたマッピング処理を行う。例えば、優先度の高いデータ系列に対応するシンボルマッピング部１４ａ1は、ＱＰＳＫに対応したマッピングを行い、優先度の低い高いデータ系列に対応するシンボルマッピング部１４ａ2〜１４ａNは、１６ＱＡＭに対応したマッピングを行う。
【００４３】
以下では、本実施の形態に特有の構成要素、具体的には、重み付け部１８1〜１８N-1および合成部１９1〜１９Ntについて詳しく説明する。実施の形態１と同様に、データストリーム数Ｎ＝２，送信アンテナ数Ｎt＝２，受信アンテナ数Ｎr＝２として説明を行う。
【００４４】
＜重み付け部１８1＞
重み付け部１８1は、ストリーム＃２のシンボルマッピング処理後のシンボルデータ｛ｄ１L｝，｛ｄ２L｝に対して、重み付け係数αを乗算する。重み付け係数αは、後段の合成部１９1および１９2においてストリーム＃１の空間周波数ブロック符号化後のシンボルデータ｛ｅ１H｝，｛ｅ２H｝と重み付け部１８1にて重み付けされたシンボルデータ｛ｅ１L｝，｛ｅ２L｝を合成したときに所望の信号電力となるようにするための係数である。
【００４５】
＜合成部１９1，１９2＞
合成部１９1は、空間周波数ブロック符号化後のシンボルデータ｛ｅ１H｝と重み付け部１８1にて重み付けされたシンボルデータ｛ｅ１L｝を加算し、合成部１９2は、空間周波数ブロック符号化後のシンボルデータ｛ｅ２H｝と重み付け部１８1にて重み付けされたシンボルデータ｛ｅ２L｝を加算する。合成部１９1にて生成されたシンボルデータは２本の送信アンテナ１７のうちの一方（送信アンテナ＃１）から送信する送信データ、合成部１９2にて生成されたシンボルデータはもう一方の送信アンテナ＃２から送信する送信データとなる。
【００４６】
このように、本実施の形態において、受信装置とともに無線通信システムを構成している送信装置は、まず、優先度の高いストリーム＃１のデータ系列をコピーして送信アンテナ数と同数のデータ系列（高優先度データ系列）を生成し、各高優先度データ系列を変調してから空間周波数ブロック符号化するとともに、優先度の低いストリーム＃２のデータ系列を分割して送信アンテナ数と同数のデータ系列（低優先度データ系列）を生成し、各低優先度データ系列の変調および信号電力の調整を行い、次に、高優先度データ系列に対応するシンボルデータと低優先度データ系列に対応するシンボルデータを合成して各送信アンテナから送信することとした。これにより、階層変調を実装していなかったシステムにおいても、優先度の高いストリーム＃１のデータ系列に対してのみ、空間周波数ブロック符号を適用することがでる。よって、実施の形態１と同様に、受信装置はストリーム＃１を高精度に復調できる。また、実施の形態１の送信装置と比較して追加する回路規模を抑えることができる。
【００４７】
実施の形態３．
実施の形態１，２では、優先度の高いストリーム＃１に対して空間周波数ブロック符号化を適用しており、このとき、優先度の低いストリーム＃２のデータはストリーム＃１にとって干渉成分となる。実施の形態１，２の受信装置では、ストリーム＃１の復調処理において干渉成分であるストリーム＃２のデータを除去しておらず、復調性能の劣化を引き起こす原因になる可能性がある。そこで、本実施の形態の受信装置は、復調性能を向上させる目的で、ストリーム＃１の復調処理の前に、干渉成分となるストリーム＃２のデータを除去するための手段を備えるようにしている。
【００４８】
図５は、実施の形態３の受信装置の構成例を示す図である。図５においては、実施の形態１の受信装置と同じ構成要素に同一の符号を付している（図２参照）。図５に示したように、本実施の形態の受信装置は、実施の形態１の受信装置が備えていたデマッピング部２２1および空間周波数ブロック復号化部２３をデマッピング部２２ｂ1および空間周波数ブロック復号化部２３ｂに置き換え、さらに、空間周波数ブロック復号化部２３ｂの前段に干渉除去部２８を追加した構成となっている。
【００４９】
以下では、本実施の形態に特有の構成要素、具体的には、デマッピング部２２ｂ1、空間周波数ブロック復号化部２３ｂおよび干渉除去部２８について詳しく説明する。実施の形態１と同様に、データストリーム数Ｎ＝２，送信アンテナ数Ｎt＝２，受信アンテナ数Ｎr＝２として説明を行う。
【００５０】
＜干渉除去部２８＞
干渉除去部２８は、干渉成分となるストリーム＃２のデータを時間周波数変換された受信データ｛ｓ１｝，｛ｓ２｝に対して除去する処理を行う。
【００５１】
図６は、干渉除去部２８の構成例を示す図である。図示したように、干渉除去部２８は、干渉成分パターン生成部２８１、干渉成分生成部２８２および干渉成分除去部２８３を備えている。受信信号から干渉成分を除去するための処理ブロックである干渉成分生成部２８２および干渉成分除去部２８３については複数備えている。干渉成分生成部２８２および干渉成分除去部２８３の数は、干渉成分パターン生成部２８１で生成される干渉成分パターンの数（Ｖパターンとする）と一致している。以下、各構成要素を説明する。
【００５２】
［干渉成分パターン生成部２８１］
干渉成分パターン生成部２８１は、ストリーム＃２のデータが干渉成分となることから、ストリーム＃２に対して想定できる全パターンのデータを生成する。ここで、ストリーム＃２のデータに２M値ＱＡＭのマッピングが適用されているとした場合、１シンボルにはストリーム＃２のデータがＭビット割り当てられている。そのため、ストリーム＃２のデータに対して想定できる全パターンは(0,0,0,0)，(0,0,0,1)，…，(1,1,1,1)の合計２Mパターンとなる。ここで、空間周波数ブロック復号処理について考える。実施の形態１で使用した式（５）に示したように、空間周波数ブロック復号処理では受信アンテナ数（＝２本）分の受信データを２セット分使用して、復調処理を行う。例えば、空間周波数ブロック復号処理に使用する２セットの受信データとして、１セット目の受信アンテナ＃１に対応する受信データをｑ１、１セット目の受信アンテナ＃２に対応する受信データをｑ２、２セット目の受信アンテナ＃１に対応する受信データをｑ３、２セット目の受信アンテナ＃２に対応する受信データをｑ４とした場合、各受信データは以下の式（６）で表すことができる。
【００５３】
【数６】
0005851280.tif 000007
【００５４】
式（６）において、ｈ1は送信アンテナ＃１と受信アンテナ＃１の間の伝送路値、ｈ2は送信アンテナ＃１と受信アンテナ＃２の間の伝送路値、ｈ3は送信アンテナ＃２と受信アンテナ＃１の間の伝送路値、ｈ4は送信アンテナ＃２と受信アンテナ＃２の間の伝送路値である。また、式（６）では空間周波数ブロック復号処理に使用する受信データ２セット分について、送受信アンテナ間にて同一の伝送路値を受けた（伝送路の変動がない）ものとしている。また、ｄ１，ｄ２はストリーム＃１に対する送信シンボルであり、ｋ１〜ｋ４はストリーム＃２に対する送信シンボルであり、ｎ１〜ｎ４は雑音を表している。式（６）に含まれているｋ１〜ｋ４が干渉成分であるため、ストリーム＃２に対する送信シンボルに対して合計４パターン存在することになる。先に示した通り、ストリーム＃２の１シンボル当たりのデータパターンは合計２Mパターンある。このことから、ｋ１〜ｋ４の４パターンが必要となるため、空間周波数ブロック復号処理をするために必要な干渉成分のパターンは合計２4M（＝Ｖ）パターンとなる。よって、干渉成分パターン生成２８１は、合計２4M（＝Ｖ）パターンのｋ１〜ｋ４のデータ（干渉成分パターン）を生成する。
【００５５】
［干渉成分生成部２８２］
干渉成分生成部２８２は、干渉成分パターン生成部２８１で生成されたｋ１〜ｋ４のデータと伝送路推定値ｈ1’〜ｈ4’を用いて干渉成分を生成する。上記の式（６）より、干渉成分ｍ１〜ｍ４は以下の式（７）により求められる。式（７）において、伝送路推定値ｈ1’〜ｈ4’はそれぞれ、伝送路値ｈ1〜ｈ4に対する推定値である。
【００５６】
【数７】
0005851280.tif 000008
【００５７】
［干渉成分除去部２８３］
干渉成分除去部２８３は、干渉成分生成部２８２で生成された干渉成分ｍ１〜ｍ４を用いて、受信データｑ１〜ｑ４から干渉成分を除去する。干渉成分除去後の受信データｏ１〜ｏ４は以下の式（８）により求められる。式（８）に従って求められる受信データｏ１〜ｏ４は合計Ｖパターンとなる。
【００５８】
【数８】
0005851280.tif 000009
【００５９】
＜空間周波数ブロック復号化部２３ｂ＞
空間周波数ブロック復号化部２３ｂは、干渉除去部２８（干渉成分除去部２８３）の出力である干渉成分除去後の受信データｏ１〜ｏ４を用いて、空間ブロック復号化処理を行う。上述したように受信データｏ１〜ｏ４は合計Ｖパターン分あるため、空間ブロック復号化処理もＶパターン分実施する。
【００６０】
＜デマッピング部２２ｂ1＞
デマッピング部２２ｂ1は、空間周波数ブロック復号化部２３ｂにて復調されたＶパターン分の復調データの中から、理想信号点に最も近い復調データを選択する。例えば、ストリーム＃１が図３のようなＱＰＳＫにマッピングされている場合、ＱＰＳＫの理想信号点（図３の黒丸）に最も近い復調データを選択する。選択した復調データに対して、デマッピング処理を行い、ビット当たりの尤度情報を生成する。
【００６１】
このように、本実施の形態の受信装置は、ストリーム＃１の受信データに対して復号処理を行う前に、干渉成分となるストリーム＃２の全てのデータパターンを生成して受信データから除去する干渉除去部を備え、干渉成分除去後の各受信データを空間周波数ブロック復号して理想信号点に最も近い復調データに対してデマッピングを行うようにしたので、ストリーム＃１に対する復調性能を向上できる。
【００６２】
なお、上記実施の形態は空間時間ブロック符号にも適用可能である。この場合、図４における空間周波数ブロック符号化部を空間時間ブロック符号化部に、さらに図５における空間周波数ブロック復号化部を空間時間ブロック復号化部に変更する。そして、空間時間ブロック符号を適用する場合においては、周波数方向に連続する２つのシンボル間で直交性を持たせるように符号化処理を行うことから、マルチパス環境のような周波数選択性の強いフェージング環境でも優れた復調性能が得られるという効果がある。
【００６３】
実施の形態４．
実施の形態３では、優先度の低いストリーム＃２の変調多値数に応じて、非常に多くのパターンの数で空間周波数ブロック復号化処理を実施する必要があり、回路規模が非常に大きくなるという問題がある。これに対して、本実施の形態では、実施の形態３で実施した空間周波数ブロック復号化処理のパターン数を減らし、回路規模を小さい構成でストリーム＃２により干渉成分を除去する。
【００６４】
図７は実施の形態４の受信装置の構成例を示す図である。図７においては、実施の形態１の受信装置と同じ構成要素に同一の符号を付している（図２参照）。図７に示したように、本実施の形態では、Ｍ回のステップに分けて受信データから干渉除去を行い、ステップごとに候補となるパターンを選択する。本実施の形態の受信装置は、実施の形態１の受信装置が備えていた空間周波数ブロック復号化部２３をＭ個の空間周波数ブロック復号化部２９1〜２９Mに置き換えた構成となっている。
【００６５】
以下では、本実施の形態に特有の構成要素、すなわち、空間周波数ブロック復号化部２９1〜２９Mについて詳しく説明する。実施の形態１と同様に、データストリーム数Ｎ＝２，送信アンテナ数Ｎt＝２，受信アンテナ数Ｎr＝２として説明を行う。
【００６６】
＜空間周波数ブロック復号化部(干渉除去)２９M＞
空間周波数ブロック復号化部２９Mは、時間周波数変換部２６から入力された受信データに対して、干渉除去および空間周波数ブロック復号処理を行う（なお、１＜Ｍとする）。図８は、空間周波数ブロック復号化部２９Mの構成例を示す図である。図示したように、空間周波数ブロック復号化部２９Mは、干渉成分パターン生成部２９１、干渉成分生成部２９２、干渉成分除去部２９３、空間周波数ブロック復号化部２９４、干渉成分パターン判定部２９５および受信データ選択部２９６を備えている。受信信号から干渉成分を除去して空間周波数ブロック復号を行う処理ブロックである干渉成分生成部２９２、干渉成分除去部２９３および空間周波数ブロック復号化部２９４については複数備えている。以下、各構成要素を説明する。
【００６７】
［干渉成分パターン生成部２９１］
干渉成分パターン生成部２９１は、ストリーム＃２による干渉成分の一部分を生成する。すなわち、ストリーム＃２のデータパターンの一部分を生成する。ここで、ストリーム＃２が２M値のＱＡＭ変調されている場合について考える。２M値ＱＡＭの信号点は、２値ＱＡＭの信号点がＭ多重されて生成される。このことを利用し、干渉成分パターン生成部２９１では、Ｍ多重されている２値ＱＡＭの信号点のうち、１多重分の信号点分の干渉成分を生成する。これにより、１多重分の２値ＱＡＭの信号点は、２ビット分に相当するため、生成されるパターン数は(0,0),(0,1),(1,0),(1,1)の合計４パターンとなる。また、上記の式（６）のとおり、ｋ１〜ｋ４の４パターンのストリーム＃２のデータが存在することから、生成される干渉成分パターンは４4（＝Ｌ）パターンとなる。干渉成分パターン生成部２９１は、式（６）のｋ１〜ｋ４の一部分に相当するため、生成される干渉成分パターンをｋ１’〜ｋ４’とする。
【００６８】
［干渉成分生成部２９２］
干渉成分生成部２９２は、干渉成分パターン生成部２９１で生成された干渉成分パターンｋ１’〜ｋ４’と伝送路推定値ｈ1’〜ｈ4’を用いて干渉成分を生成する。上記の式（６）より、干渉成分ｍ１’〜ｍ４’は以下の式（９）により求められる。
【００６９】
【数９】
0005851280.tif 000010
【００７０】
［干渉成分除去部２９３］
干渉成分除去部２９３は、干渉成分生成部２９２で生成された干渉成分ｍ１’〜ｍ４’を用いて、受信データｑ１〜ｑ４から干渉成分を除去する。干渉成分除去後の受信データｏ１’〜ｏ４’は以下の式（１０）により求められる。式（１０）に従って求められる受信データｏ１〜ｏ４は合計Ｌパターンとなる。
【００７１】
【数１０】
0005851280.tif 000011
【００７２】
［空間周波数ブロック復号化部２９４］
空間周波数ブロック復号化部２９４は、干渉成分除去部２９３の出力である干渉成分除去後の受信データｏ１’〜ｏ４’を用いて、空間ブロック復号化処理を行う。上述したように受信データｏ１’〜ｏ４’は合計Ｌパターン分あるため、空間ブロック復号化処理もＬパターン分実施する。
【００７３】
［干渉成分パターン判定部２９５］
干渉成分パターン判定部２９５は、空間周波数ブロック復号化部２９４にて復調されたＬパターン分の復調データの中から、理想信号点に最も近い復調データに対応するパターンを選択し、選択した結果を受信データ選択部２９６に通知する。
【００７４】
［受信データ選択部２９６］
受信データ選択部２９６は、干渉成分パターン判定部２９５から通知された選択結果に対応する受信データを選択して出力する。
【００７５】
＜空間周波数ブロック復号化部(干渉除去)２９1＞
空間周波数ブロック復号化部２９1は、Ｍ個ある空間周波数ブロック復号化部２９1〜２９Mのなかで最終段に配置されている。そのため、空間周波数ブロック復号化部２９1では、最終的に選択したパターンに対応する復調データを出力する。図９は空間周波数ブロック復号化部２９1の構成例を示す図である。空間周波数ブロック復号化部２９1は、図８に示した空間周波数ブロック復号化部２９Mが備えていた干渉成分パターン判定部２９５および受信データ選択部２９６を干渉成分パターン選択部２９７に置き換えた構成となっている。
【００７６】
干渉成分パターン選択部２９７は、空間周波数ブロック復号化部２９４にて復調されたＬパターン分の復調データの中から、理想信号点に最も近い復調データを選択して出力する。
【００７７】
このように、本実施の形態の受信装置では、干渉成分となるストリーム＃２の全データパターンの中の一部を使用して干渉成分除去と空間周波数ブロック復号を行う処理を複数回繰り返すことにより優先度の高いストリーム＃１の受信データからストリーム＃２による干渉を除去することとしたので、ストリーム＃１に対する復調性能を向上でき、かつ実施の形態３の受信装置と比較して回路規模を小さくできる。
【００７８】
実施の形態５．
実施の形態３，４では、ストリーム＃２における干渉成分を除去するため、受信装置においてストリーム＃１を復調する前に干渉成分を除去する回路を追加している。これは、干渉成分であるストリーム＃２のデータ系列を推定していることと同義である。そこで、本実施の形態では、干渉成分として推定したストリーム＃２のデータ系列をそのまま使用して、ストリーム＃２の復調処理で必要としていたＭＩＭＯ等化処理を省略する。これにより、ＭＩＭＯ等化処理分の回路規模を小さくすることができる。
【００７９】
図１０は、実施の形態５の受信装置の構成例を示す図である。本実施の形態の受信装置は、実施の形態３の受信装置（図５参照）からＭＩＭＯ等化部２４を削除し、干渉除去部２８で推定したストリーム＃２〜＃Ｎのデータ系列をデマッピング部２２2〜２２Nへ出力するように構成したものである。干渉除去部２８が推定したストリーム＃２〜＃Ｎのデータ系列は、デマッピング部２２2〜２２Nにてビット当たりの尤度情報が生成され、生成された各尤度情報に基づいて、デインターリーバ２１2〜２１3および誤り訂正復号部２０2〜２０Nがストリーム＃２〜＃Ｎのデータを復号する。
【００８０】
本実施の形態によれば、実施の形態４と同程度の性能を有する受信装置を少ない回路規模で実現できる。
【００８１】
実施の形態６．
実施の形態５では、ストリーム＃２〜＃Ｎによる干渉除去のために推定したストリーム＃２〜＃Ｎのデータ系列のみを使用して、ストリーム＃２〜＃Ｎのデータ系列を復調するようにしてＭＩＭＯ等化部を省略可能とした。これに対して、本実施の形態では、干渉除去にて推定したストリーム＃２〜＃Ｎのデータ系列に加えて、ＭＩＭＯ等化による復調データを使用して、ストリーム＃２〜＃Ｎのデータ系列を復調する。これにより、実施の形態１〜５の受信装置と比較して、ストリーム＃２〜＃Ｎの復調性能を向上できる。
【００８２】
図１１は、実施の形態６の受信装置の構成例を示す図である。本実施の形態の受信装置は、実施の形態３の受信装置（図５参照）が備えていたデマッピング部２２2，…，２２Nをデマッピング部２２2−１，２２2−２，…，２２N−１，２２N−２に置き換え、さらに、これらのデマッピング部の後段に尤度合成部３０1〜３０N-1を追加した構成となっている。
【００８３】
デマッピング部２２2−１，…，２２N−１は、それぞれ、干渉除去部２８が推定したストリーム＃２，…，＃Ｎのデータ系列に対してデマッピング処理を行い、ビット当たりの尤度情報を生成・出力する。
【００８４】
デマッピング部２２2−２，…，２２N−２は、それぞれ、ＮＩＭＯ等化部２４が復調した、ストリーム＃１，…，＃Ｎのデータ系列に対してデマッピング処理を行い、ビット当たりの尤度情報を生成・出力する。
【００８５】
尤度合成部３０1，…，３０N-1は、それぞれ、デマッピング部から出力された尤度情報をストリームごとに合成し、デインターリーバ２１2，…，２１Nへ出力する。
【００８６】
本実施の形態によれば、干渉除去部２８が推定したストリーム＃２〜＃Ｎのデータ系列とＭＩＭＯ等化部２４が復調したストリーム＃２〜＃Ｎのデータ系列をそれぞれデマッピングし、得られた尤度情報を合成するようにしたので、優先度の高いストリーム＃１のデータに加え、優先度の低いストリーム＃２〜＃Ｎのデータについても復調性能を向上できる。
【産業上の利用可能性】
【００８７】
以上のように、本発明にかかる無線送信装置は、複数の送信アンテナを用いてデータ伝送を行う場合に有用であり、特に、優先度が異なる複数のデータ系列を多重伝送する無線送信装置に適している。
【符号の説明】
【００８８】
１０1，１０2，１０N  誤り訂正符号化部
１１1，１１2，１１N  インターリーバ
１２  コピー部
１３1，１３2，１３N-1  分割部
１４1，１４Nt，１４ａ1，１４ａN  シンボルマッピング部
１５  空間周波数ブロック符号化部
１６  周波数時間変換部
１７  送信アンテナ
１８1，１８N-1  重み付け部
１９1，１９Nt  合成部
２０1，２０2，２０N  誤り訂正復号化部
２１1，２１2，２１N  デインターリーバ
２２1，２２2，２２N，２２ｂ1，２２2−１，２２2−２，２２N−１，２２N−２  デマッピング部
２３，２３ｂ，２９1，２９M，２９４  空間周波数ブロック復号化部
２４  ＭＩＭＯ等化部
２５  伝送路推定部
２６  時間周波数変換部
２７  受信アンテナ
２８  干渉除去部
３０1，３０N-1  尤度合成部
２８１，２９１  干渉成分パターン生成部
２８２，２９２  干渉成分生成部
２８３，２９３  干渉成分除去部
２９５  干渉成分パターン判定部
２９６  受信データ選択部
２９７  干渉成分パターン選択部
【図１】
0005851280.tif 000012
【図２】
0005851280.tif 000013
【図３】
0005851280.tif 000014
【図４】
0005851280.tif 000015
【図５】
0005851280.tif 000016
【図６】
0005851280.tif 000017
【図７】
0005851280.tif 000018
【図８】
0005851280.tif 000019
【図９】
0005851280.tif 000020
【図１０】
0005851280.tif 000021
【図１１】
0005851280.tif 000022